(57)【要約】【課題】シートを検知可能な支持部において、シートが折れ曲がったりすることなく、容易に挿入可能な手段を提供する。【解決手段】給送装置７０は、支持面１８８を有する固定支持部１８５と、支持面１８８に支持された記録用紙を給送向き８７に給送する給送ローラ７５と、支持面１８８に設けられた凹部４６と、他端５０が凹部４６に進入した第１位置及び他端５０が凹部４６から退出した第２位置に回動する押さえアーム７３と、第１位置または第２位置のうちいずれか一方の位置にある押さえアーム７３を検知する光学センサ３５と、を備える。凹部４６において、給送向き８７に沿って延出されており、凹部４６の第１傾斜面４７から支持面１８８へ向かって突出する突片９０が設けられている。【選択図】図７
2015227218.tif 000002
【特許請求の範囲】
【請求項１】
シートを支持する支持面を有する支持部と、
上記支持面に支持されたシートを給送向きに給送する給送部と、
上記支持面に設けられた凹部と、
第１端が当該第１端と長手方向の反対側にある第２端よりも上記給送向き上流側且つ上記支持面から離間しており、当該第１端を回動軸とし且つ当該第２端を回動先端側として回動可能であり、当該第２端が上記凹部に進入した第１位置及び当該第２端が上記凹部から退出した第２位置に回動するアームと、
上記第１位置または上記第２位置のうちいずれか一方の位置にある上記アームを検知する検知部と、を備え、
上記凹部において、上記給送向きに沿って延出されており、上記凹部の底面から上記支持面へ向かって突出する突片が設けられている給送装置。
【請求項２】
上記アームは、上記第２端側に、上記第１位置において上記突片が進入可能な溝を有する請求項１に記載の給送装置。
【請求項３】
上記アームを上記第１位置側へ付勢する付勢部材を更に備えた請求項１又は２に記載の給送装置。
【請求項４】
上記突片は、上記凹部において上記給送向きと直交する左右方向の中央に配置されている請求項１から３のいずれかに記載の給送装置。
【請求項５】
上記突片の先端面は、上記支持面と同一の仮想平面に位置する請求項１から４のいずれかに記載の給送装置。
【請求項６】
上記給送部は、給送ローラと、一方の端部において当該給送ローラを回転可能に支持し、他方の端部を回動軸として回動可能な給送アームと、を備えたものである請求項１から５のいずれかに記載の給送装置。
【請求項７】
上記第１位置の上記アームにおいて、上記凹部に進入していない部分であって上記支持面と対向する案内面は、上記給送ローラよりも上記給送向き上流側に位置しており、
上記第２位置の上記アームにおいて、上記アームの第２端は、上記給送ローラよりも上記給送向き下流側に位置している請求項６に記載の給送装置。
【請求項８】
上記アームは一対設けられており、上記給送向きと直交し且つ上記支持面に沿った方向において、上記給送ローラを挟んで配置されている請求項６又は７に記載の給送装置。
【請求項９】
上記アームと上記給送アームの回動軸の中心は同一である請求項６から８のいずれかに記載の給送装置。
【請求項１０】
請求項１から９のいずれかに記載の給送装置と、
上記給送ローラによって給送されたシートに画像を記録する記録部と、を備える画像記録装置。
【発明の詳細な説明】
【技術分野】
【０００１】
本発明は、支持部に支持されたシートを給送する給送装置、及び当該給送装置を備えた画像記録装置に関する。
【背景技術】
【０００２】
従来より、傾斜状態の支持部が、積層状態の複数枚のシートを支持しており且つ当該シートが支持部の傾斜に沿って斜め下向きに給送されるように構成されている給送装置が知られている（特許文献１）。また、支持部（中板）にシートが載置されているか否かを検知するために検知部材（シート有無検知部）が設けられた給送装置も知られている（特許文献２）。
【先行技術文献】
【特許文献】
【０００３】
【特許文献１】特開２００１−１０６３４６号公報
【特許文献２】特開２００９−２２０９８２号公報
【発明の概要】
【発明が解決しようとする課題】
【０００４】
この検知部材は、シート有無検知レバーと、フォトインタラプタとを備えている。シート有無検知レバーは、遮光部と、揺動軸と、当接部とを備えている。そして、支持部にシートが載置されていないときは、検知部材の回動先端（シート有無検知レバーの当接部）が支持面に設けられた凹部に進入した回動位置にあり、遮光部はフォトインタラプタから退避した位置にある。また、支持部にシートが載置されると、検知部材の回動先端が凹部を覆うシート上に支持されることにより、検知部材の回動先端は支持面より上方となる回動位置にあり、遮光部はフォトインタラプタに進入した位置にある。検知部材の回動先端がこのような各位置にあるときに、遮光部がフォトインタラプタにより検知されることにより、支持部上のシートの有無が検知される。フォトインタラプタによる遮光部の検知を安定且つ確実に行うには、支持部にシートが載置されているか否かによる回動先端の回動位置の角度差（位相差）が大きいことが望ましい。しかしながら、その角度差を大きくするために凹部の深さを深くすると、ユーザが支持部にシートを載置する際に、載置されるシートの先端が凹部へ進入して撓み、シートの先端が凹部において折れ曲がったり、シートの挿入が困難になったりするおそれがある。特に１枚のシートが支持部に挿入されるときに、このような懸念がある。
【０００５】
本発明は、前述された事情に鑑みてなされたものであり、その目的は、シートを検知可能な支持部において、シートが折れ曲がったりすることなく、容易に挿入可能な手段を提供することにある。
【課題を解決するための手段】
【０００６】
(1)  本発明に係る給送装置は、シートを支持する支持面を有する支持部と、上記支持面に支持されたシートを給送向きに給送する給送部と、上記支持面に設けられた凹部と、第１端が当該第１端と長手方向の反対側にある第２端よりも上記給送向き上流側且つ上記支持面から離間しており、当該第１端を回動軸とし且つ当該第２端を回動先端側として回動可能であり、当該第２端が上記凹部に進入した第１位置及び当該第２端が上記凹部から退出した第２位置に回動するアームと、上記第１位置または上記第２位置のうちいずれか一方の位置にある上記アームを検知する検知部と、を備える。上記凹部において、上記給送向きに沿って延出されており、上記凹部の底面から上記支持面へ向かって突出する突片が設けられている。
【０００７】
支持部にシートが支持されていない状態において、アームは第１位置となる。また、支持部にシートが支持された状態において、アーム第２位置となる。検知部は、これらアームの位置を検知するので、検知部の検知信号に応じて、支持部にシートが支持されているか否かを判定することができる。
【０００８】
支持面に沿って支持部へ挿入されるシートの先端は、凹部において突片の突出端に支持される。これにより、シートの先端が凹部の底面にまで進入することが防止される。
【０００９】
(2)  好ましくは、上記アームは、上記第２端側に、上記第１位置において上記突片が進入可能な溝を有する。
【００１０】
これにより、アームの第２端側が突片より凹部の底面側へ進入するので、第１位置と第２位置とのアームの回動位相差が大きくなる。
【００１１】
(3)  好ましくは、上記アームを上記第１位置側へ付勢する付勢部材を更に備える。
【００１２】
支持部の支持面に支持されたシートは、第１位置側へ付勢されたアームによって支持面に押さえつけられる。これにより、シートの重送が発生する可能性を低くできる。
【００１３】
(4)  好ましくは、上記突片は、上記凹部において上記給送向きと直交する左右方向の中央に配置されている。
【００１４】
これにより、凹部の左右方向の寸法を長くできるので、アームの第２端側の左右方向の寸法も長くできる。その結果、アームの第２端側がシートと当接する面積が広くなり、アームの第２端側と当接するシートへの単位面積当たりの荷重を小さくできる。
【００１５】
(5)  好ましくは、上記突片の先端面は、上記支持面と同一の仮想平面に位置する。
【００１６】
これにより、支持面に沿って支持部へ挿入されるシートの先端が凹部に進入することがない。
【００１７】
(6)  好ましくは、上記給送部は、給送ローラと、一方の端部において当該給送ローラを回転可能に支持し、他方の端部を回動軸として回動可能な給送アームと、を備えたものである。
【００１８】
これにより、支持面に支持されたシートの束の厚みに応じて給送アームが回動し、給送ローラが最上位置のシートに当接する。
【００１９】
(7)  好ましくは、上記第１位置の上記アームにおいて、上記凹部に進入していない部分であって上記支持面と対向する案内面は、上記給送ローラよりも上記給送向き上流側に位置しており、上記第２位置の上記アームにおいて、上記アームの第２端は、上記給送ローラよりも上記給送向き下流側に位置している。
【００２０】
支持部にシートが支持されておらず、アームが第１位置である状態において、支持面に沿ってシートを支持部へ挿入すると、シートの先端がアームの案内面に当接して、給送ローラと支持面との間に導かれる。
【００２１】
また、第２位置のアームの第２端により、支持部に支持されたシートが給送ローラよりも給送向き下流側で支持面側へ押さえられるので、シートが給送ローラのみによって支持面側へ押さえられている状態よりも、シートの重送が生ずる可能性が低くなる。
【００２２】
(8)  好ましくは、上記アームは一対設けられており、上記給送向きと直交し且つ上記支持面に沿った方向において、上記給送ローラを挟んで配置されている。
【００２３】
給送ローラの両側においてシートがアームによって支持面側へ押さえられるため、シートが斜行する可能性が低い。
【００２４】
(9)  好ましくは、上記アームと上記給送アームの回動軸の中心は同一である。
【００２５】
アーム及び給送アームの回動軸を個別に設ける必要がないため、装置の構成が簡略化される。
【００２６】
(10)  本発明は、上記給送装置と、上記給送ローラによって給送されたシートに画像を記録する記録部と、を備える画像記録装置として捉えられてもよい。
【発明の効果】
【００２７】
本発明によれば、シートを検知可能な支持部において、シートが折れ曲がったりすることなく、容易に挿入可能である。
【図面の簡単な説明】
【００２８】
【図１】図１は、可動支持部１８６が起立状態の複合機１０の外観斜視図である。
【図２】図２は、プリンタ部１１の内部構造を示す縦断面図である。
【図３】図３は、可動支持部１８６が倒伏状態のバイパストレイ７１を示す斜視図である。
【図４】図４は、可動支持部１８６が除かれた状態の複合機１０の後面側の外観斜視図である。
【図５】図５は、複合機１０の縦断面図であり、押さえアーム７３が第１位置の状態が示されている。
【図６】図６は、固定支持部１８５及び可動支持部１８６を示す斜視図である。
【図７】図７は、図５の破線の矩形枠部分の拡大図であって、図６におけるVII-VII断面を示す断面図である。
【図８】図８は、図５の破線の矩形枠部分の拡大図であって、図６におけるVIII-VIII断面を示す断面図である。
【図９】図９は、押さえアーム７３が第１位置であるときの図７のIX-IX断面を示す断面図である。
【図１０】図１０は、図１のX-X断面を示す断面図である。
【図１１】図１１は、凹部４６上に記録用紙１００が存在するときの図７のXI-XI断面を示す断面図である。
【図１２】図１２は、変形例における図５の破線の矩形枠部分の拡大図であって、図６におけるVII-VII断面を示す断面図である。
【発明を実施するための形態】
【００２９】
以下、本発明の実施形態に係る複合機１０について説明する。なお、以下に説明される実施形態は本発明の一例にすぎず、本発明の要旨を変更しない範囲で、実施形態を適宜変更できることは言うまでもない。また、以下の説明では、矢印の起点から終点に向かう進みが向きと表現され、矢印の起点と終点とを結ぶ線上の往来が方向と表現される。また、以下の説明においては、複合機１０が使用可能に設置された状態（図１の状態）を基準として上下方向７が定義され、開口１３が設けられている側を手前側（前面）として前後方向８が定義され、複合機１０を手前側（前面）から視て左右方向９が定義される。
【００３０】
［複合機１０の全体構成］
図１に示されるように、複合機１０は、概ね直方体に形成されており、インクジェット記録方式で記録用紙などのシートに画像を記録するプリンタ部１１を備えている。複合機１０は、ファクシミリ機能及びプリント機能などの各種の機能を有している。
【００３１】
プリンタ部１１は、前面に開口１３が形成された筐体１４を有している。また、各種サイズの記録用紙を収容可能な給送トレイ２０及び排出トレイ２１が、開口１３から前後方向８に挿抜可能である。筐体１４の底面が、複合機１０が設置される載置面に当接する。
【００３２】
図２に示されるように、プリンタ部１１は、給送トレイ２０から記録用紙を給送する給送部１５、記録用紙に画像を記録する記録部２４、第１搬送ローラ対５９、及び第２搬送ローラ対１８０などを備えている。
【００３３】
図１に示されるように、プリンタ部１１の上方には、スキャナ部１２が設けられている。スキャナ部１２の筐体１６の前後方向８及び左右方向９の寸法は、プリンタ部１１の筐体１４と同じである。したがって、プリンタ部１１の筐体１４及びスキャナ部１２の筐体１６が一体となって、複合機１０の概ね直方体形状の外形を形成している。スキャナ部１２は、フラットベッドスキャナである。なお、フラットベッドスキャナの構造は公知であるので、ここでは詳細な説明が省略される。また、スキャナ部１２には、複数枚の原稿を１枚ずつ分離して搬送する自動原稿搬送装置（ＡＤＦ）が設けられていてもよい。
【００３４】
［プリンタ部１１］
以下、プリンタ部１１の詳細な構造が説明される。プリンタ部１１は画像記録装置の一例である。
【００３５】
［給送トレイ２０］
図１及び図２に示される給送トレイ２０は、前後方向８及び左右方向９の長さが上下方向７の長さよりも長い外形であって、上面が開放された箱型の形状を有している。給送トレイ２０の上面前側には、排出トレイ２１が設けられている。給送トレイ２０は、例えば日本工業規格によるＡ４サイズから写真記録に用いられるＬ版などの大小様々なサイズの記録用紙を支持面で支持することにより記録用紙を収容可能である。給送トレイ２０は、筐体１４の開口１３に通ずる内部空間に着脱自在に装着される。この給送トレイ２０は、開口１３を通じて筐体１４に対して前後方向８に沿って進退可能である。
【００３６】
［給送部１５］
図２に示されるように、給送部１５は、給送ローラ２５、給送アーム２６、駆動伝達機構２７及び分離パッド１８１を備えている。給送部１５は、給送トレイ２０の上方であって記録部２４の下方に設けられている。給送ローラ２５は、給送アーム２６の先端部に回転可能に軸支されている。給送アーム２６は、基端部に設けられた回動軸２８を中心として、矢印２９の方向に回動する。これにより、給送ローラ２５は、給送トレイ２０の支持面に対して当接及び離間が可能である。したがって、記録用紙を収容して給送トレイ２０が筐体１４内に装着されたとき、給送ローラ２５は、給送トレイ２０に収容された記録用紙に当接可能である。記録用紙を収容していない給送トレイ２０が筐体１４内に装着されたとき、給送トレイ２０の支持面において給送ローラ２５が当接する位置には分離パッド１８１が設けられている。分離パッド１８１は、記録用紙に対して、給送トレイ２０の支持面の摩擦係数より大きな摩擦係数を有する材料で形成されている。
【００３７】
給送ローラ２５には、モータ（不図示）の駆動力が駆動伝達機構２７を通じて伝達される。駆動伝達機構２７は、回動軸２８とは異なる駆動軸に伝達された回転を無端ベルトにより給送ローラ２５の軸へ伝達する。給送ローラ２５が、給送トレイ２０の支持面上に支持された記録用紙のうち一番上側の記録用紙に当接された状態で回転することにより、当該記録用紙が搬送経路６５へ給送される。記録用紙が搬送経路６５へ給送されるとき、記録用紙の先端が、給送トレイ２０の前後方向８の後側に設けられた分離部材１９７と当接する。その結果、一番上側の記録用紙のみが下側の記録用紙から分離されて搬送される。そして、一番上側の記録用紙よりも下側の記録用紙は、一番上側の記録用紙に引き摺られることなく給送トレイ２０内に収容されたままで保持される。
【００３８】
［搬送経路６５］
図２に示されるように、筐体１４の内部空間に設けられた搬送経路６５は、給送トレイ２０の後側から上方へＵターンするように湾曲して延び、さらにプリンタ部１１の後ろ側から前側へ曲がった後、更に前側へ向かってほぼ真っ直ぐに延びて排出トレイ２１に至っている。搬送経路６５は、Ｕターンする湾曲路６５Ａと、真っ直ぐな直線路６５Ｂとに大別される。
【００３９】
湾曲路６５Ａは、記録用紙が通過可能な空間を隔てて対向する外側ガイド部材１８、内側ガイド部材１９、及びガイド部材３１によって規定されている。直線路６５Ｂは、記録用紙が通過可能な空間を隔てて対向する記録部２４及びプラテン４２、並びにガイド部材３４及びガイド部材３３によって規定されている。
【００４０】
給送トレイ２０の給送ローラ２５によって搬送経路６５に沿って給送された記録用紙は、湾曲路６５Ａに沿って下方から上方へ向かって搬送向きが反転され、直線路６５Ｂに沿って搬送向きが反転することなく後方から前方へ向かって搬送される。
【００４１】
外側ガイド部材１８は、湾曲路６５Ａに沿って記録用紙が搬送されるとき、外側の案内面を構成する部材である。内側ガイド部材１９は、湾曲路６５Ａに沿って記録用紙が搬送されるとき、内側の案内面を構成する部材である。なお、各案内面は、１つの面で構成されていてもよいし、複数のリブの先端面の群として構成されていてもよい。
【００４２】
ガイド部材３１は、第１搬送ローラ対５９の直上流（後ろ側）において内側ガイド部材１９の上方に配置されている。外側ガイド部材１８及びガイド部材３１は、後述されるバイパス経路１８２を規定する部材でもある。
【００４３】
［後面カバー２２］
図２に示されるように、後面カバー２２は、外側ガイド部材１８を支持して筐体１４の後面の一部を構成する部材である。後面カバー２２は、下側の左右両端において筐体１４に対して回動可能に軸支されている。後面カバー２２が、下側の左右方向９に沿った回動軸周りに、上側が後ろ向きへ倒伏するように回動することにより、後述されるバイパス経路１８２の一部が筐体１４の外方に開放（露出）される。
【００４４】
外側ガイド部材１８も、後面カバー２２と同様に、下側の左右両端において筐体１４に対して回動可能に軸支されている。後面カバー２２が後ろ向きへ倒伏するように回動された状態において、外側ガイド部材１８も、下側の左右方向９に沿った回動軸周りに、上側が後ろ向きへ倒伏するようにして回動可能である。外側ガイド部材１８が後ろ向きへ倒伏するように回動することにより、湾曲路６５Ａの少なくとも一部が開放（露出）される。図２に示されるように、後面カバー２２が起立状態となるように閉じられると、外側ガイド部材１８は、後面カバー２２に後方から支持されて起立状態に維持され、内側ガイド部材１９と対向して湾曲路６５Ａを規定する。
【００４５】
［第１搬送ローラ対５９及び第２搬送ローラ対１８０］
図２に示されるように、搬送経路６５における記録部２４よりも搬送向き（前後方向８の前向き）の上流側には、第１搬送ローラ対５９が設けられている。第１搬送ローラ対５９は、第１搬送ローラ６０とピンチローラ６１とを有する。搬送経路６５において、記録部２４よりも搬送向きの下流側には、第２搬送ローラ対１８０が設けられている。第２搬送ローラ対１８０は、第２搬送ローラ６２と拍車ローラ６３とを有する。第１搬送ローラ６０及び第２搬送ローラ６２は、モータ（不図示）の回転が伝達されて回転する。第１搬送ローラ対５９及び第２搬送ローラ対１８０は、それぞれを構成する各ローラの間に記録用紙を挟持した状態において、第１搬送ローラ６０及び第２搬送ローラ６２が回転することによって、記録用紙を搬送する。
【００４６】
［記録部２４］
図２に示されるように、第１搬送ローラ対５９と第２搬送ローラ対１８０との間に記録部２４が設けられている。記録部２４は、キャリッジ４０と記録ヘッド３９とを備えている。キャリッジ４０は、プラテン４２の後側及び前側に設けられたガイドレール４３，４４によって左右方向９に往復動可能に支持されている。ガイドレール４４には、公知のベルト機構が設けられている。キャリッジ４０は、ベルト機構の無端ベルトと連結されており、無端ベルトの回動によってガイドレール４３，４４に沿って左右方向９に往復動する。キャリッジ４０と記録ヘッド３９とが、プラテン４２と空間を隔てて対向しているとき、キャリッジ４０、記録ヘッド３９、及びプラテン４２は、直線路６５Ｂの一部を規定する。
【００４７】
記録ヘッド３９は、キャリッジ４０に搭載されている。記録ヘッド３９の下面には、複数のノズル（不図示）が形成されている。記録ヘッド３９には、インクカートリッジ（不図示）からインクが供給される。記録ヘッド３９は、複数のノズルからインクを微小なインク滴として選択的に吐出する。キャリッジ４０が左右方向９へ移動しているときに、ノズルからプラテン４２に支持されている記録用紙に対してインク滴が吐出される。吐出されたインク滴がプラテン４２上の記録用紙に付着することにより、記録用紙に画像が記録される。
【００４８】
［バイパス経路１８２］
図２に示されるように、筐体１４の後面において後面カバー２２の上方に開口１８４が設けられている。筐体１４の内部には、開口１８４から第１搬送ローラ対５９へと延びるバイパス経路１８２が形成されている。バイパス経路１８２は、筐体１４の内部において前後方向８の後方から前方へ斜め下方に向かって延びる経路である。バイパス経路１８２は、ガイド部材３１、外側ガイド部材１８及び後面カバー２２によって規定されている。ガイド部材３１は、バイパス経路１８２に沿って記録用紙が搬送されるとき、上側の案内面を構成する部材である。外側ガイド部材１８及び後面カバー２２は、バイパス経路１８２に沿って記録用紙が搬送されるとき、下側の案内面を構成する部材である。搬送経路６５の湾曲路６５Ａ及び直線路６５Ｂは、いずれもバイパス経路１８２より下方に配置されている。外側ガイド部材１８及び後面カバー２２が、上側が後ろ向きへ倒伏するように回動することによって、搬送経路６５の一部と共にバイパス経路１８２の一部が筐体１４の外方に開放（露出）される。
【００４９】
後述されるバイパストレイ７１に収容された記録用紙は、バイパス経路１８２に沿って斜め下方へ案内される。その記録用紙は、搬送経路６５の直線路６５Ｂに沿って案内され、第１搬送ローラ対５９により搬送される。その記録用紙は、更に記録部２４によって画像記録が行われて、排出トレイ２１へ排出される。このように、バイパストレイ７１に収容された記録用紙は、ほぼ直線形状の経路（記録用紙の表面と裏面とが上下方向７において反転することのない経路）に沿って搬送される。
【００５０】
［給送装置７０］
図４及び図５に示されるように、プリンタ部１１は、給送装置７０を備えている。給送装置７０は、バイパストレイ７１と、給送ローラ７５と、給送アーム７６と、不図示の給送用モータと、駆動伝達機構７９と、押さえアーム７３と、分離部材７２と、を備えている。
【００５１】
［バイパストレイ７１］
図１及び図５に示されるように、複合機１０の後面側には、バイパストレイ７１が設けられている。バイパストレイ７１は、給送トレイ２０とは独立して記録用紙を収容するものである。
【００５２】
図１及び図４に示されるように、スキャナ部１２の筐体１６の後面側には、開口１８４（図２参照）を覆うようにして下方へ延びる固定支持部１８５が設けられている。固定支持部１８５は、バイパストレイ７１の搬送向き下流側の一部を構成している。図３に示されるように、固定支持部１８５の上側には、可動支持部１８６が固定支持部１８５に対して回動可能に設けられている。固定支持部１８５及び可動支持部１８６によって、バイパストレイ７１が構成されている。
【００５３】
図４に示されるように、固定支持部１８５の上面には、左右方向９に沿って延びるスリット形状の開口１８７が形成されている。バイパストレイ７１には、この開口１８７からバイパス経路１８２（図２参照）へと至る通路が形成されている。図３に示されるように、固定支持部１８５には、支持面１８８を有する支持部材１８９が設けられている。支持面１８８は、バイパス経路１８２（図２参照）まで斜め下方へ延びている。支持部材１８９の下端は、バイパス経路１８２に沿って搬送される記録用紙を案内するガイド面の一部を形成している。
【００５４】
図５に示されるように、固定支持部１８５における支持部材１８９の下方には、分離部材７２が設けられている。分離部材７２は、上下方向７において開口１８４とほぼ同等の高さに位置されている。分離部材７２の上面は、バイパストレイ７１に支持される記録用紙の先端が当接する面である。図２に示されるように、分離部材７２は、上面から上方へ突出されて前後方向８に沿って並んでいる複数の歯を有する。分離部材７２の歯によって、バイパストレイ７１に支持される複数枚の記録用紙の先端が捌かれる。なお、図３においては、分離部材７２が省略されている。
【００５５】
支持部材１８９の上端側であって支持面１８８の上方には、図３に示されるように、給送アーム７６の回動軸６６を回転可能に支持する補強部材１８３が設けられている。補強部材１８３に支持された給送アーム７６の回動軸６６に、不図示の給送用モータから駆動伝達機構７９を介して駆動力が伝達されることにより、給送ローラ７５が回転する。
【００５６】
図４に示されるように、固定支持部１８５における左右方向９の右側には、複数のピニオンギアからなる駆動伝達機構７９が設けられている。駆動伝達機構７９には、プリンタ部１１の筐体１４の内部に設けられた給送用モータ（不図示）から駆動力が伝達される。回動軸６６は、左右方向９に沿って延出されており、その一端が駆動伝達機構７９を構成するピニオンギアと噛合している。回動軸６６の他端は、固定支持部１８５における左右方向９の中央まで延出されている。
【００５７】
図７に示されるように、回動軸６６には、給送アーム７６が回動可能に支持されている。すなわち、給送アーム７６の基端側は、回動軸６６周りに回動自在である。この給送アーム７６の回動先端に給送ローラ７５が回転可能に支持されている。給送アーム７６は、回動軸６６から支持部材１８９の支持面１８８へ向かって下方へ延出されている。給送アーム７６は、固定支持部１８５における左右方向９の中央に配置されている。
【００５８】
給送ローラ７５は、回動軸６６と不図示のギヤ列によって連結されている。ギヤ列は、給送アーム７６に回転可能に支持されて、基端側から先端側へ直列に配置されている。回動軸６６の回転がギヤ列によって給送ローラ７５に伝達され、給送ローラ７５が回転する。給送ローラ７５が、支持面１８８に支持された記録用紙のうち一番上側の記録用紙に当接された状態で回転することにより、この一番上側の記録用紙がバイパス経路１８２に沿って給送向き８７に給送される。この一番上側の記録用紙より下側の記録用紙は、分離部材７２によって捌かれて、一番上側の記録用紙に引き摺られることなくバイパストレイ７１に保持される。その結果、一番上側の記録用紙だけが他の記録用紙から分離され、バイパス経路１８２に沿って給送向き８７へ給送される。このように、給送ローラ７５、回動軸６６、及び給送アーム７６から構成される給送部が、筐体１４の外側であって支持面１８８の上方の空間に配置されている。
【００５９】
図３及び図７に示されるように、可動支持部１８６は、固定支持部１８５の上側に固定支持部１８５に対して回動可能に設けられている。可動支持部１８６は、図１に示されるように上下方向７に沿って起立した起立状態と、図７に示されるように上下方向７に対して傾斜した倒伏状態との間で回動可能である。
【００６０】
起立状態とは、筐体１４の後面側における可動支持部１８６のためのスペースを小さくするための状態であり、バイパストレイ７１の不使用状態である。起立状態である可動支持部１８６の後面は、筐体１４の後面と略平行となっている。起立状態の可動支持部１８６は、回動先端が回動基端のほぼ直上に位置している。起立状態において、支持面１８８と支持面１９３とは交差する配置である。
【００６１】
倒伏状態とは、可動支持部１８６を筐体１４の外側へ向かって斜め上方へ傾斜させることにより、傾斜した支持面１８８，１９３を実質的に１つの平面とした状態であり、バイパストレイ７１の使用可能状態である。倒伏状態の可動支持部１８６は、回動先端が回動基端よりも上方に位置しており、かつ回動先端が回動基端よりも筐体１４の後面から離れるように傾斜している。可動支持部１８６を起立状態とするか倒伏状態とするかは、ユーザが任意に操作することにより選択可能である。
【００６２】
図１及び図３に示されるように、可動支持部１８６の左右方向９の両側には、側壁１９０，１９１が設けられている。側壁１９０，１９１は、固定支持部１８５の左右方向９の両側の一部をそれぞれ覆っている。固定支持部１８５の左右方向９の右側に設けられた駆動伝達機構７９は、可動支持部１８６の側壁１９０によって覆われている。
【００６３】
図３に示されるように、可動支持部１８６の側壁１９０，１９１の間に渡って、支持部材１９２が設けられている。倒伏状態において、支持部材１９２の上面に設けられた支持面１９３は、支持面１８８と実質的に同一の平面をなす。つまり、バイパストレイ７１において、支持部材１８９の支持面１８８及び支持部材１９２の支持面１９３によって形成される面４５が記録用紙を支持する。起立状態において、支持面１９３は、複合機１０の載置面に対して直交する、つまり上下方向７及び左右方向９に沿った状態となる。なお、本実施形態において複合機１０が載置される載置面は、左右方向９と前後方向８とに沿って拡がる面である。ここで、「実質的に１つの平面（同一の平面）」とは、２つの面の間に僅かに段差があったとしても、支持された記録用紙が撓んだり湾曲したりしない平面のこと、すなわち、上述した分離部材７２により安定した分離性能が発揮されるように記録用紙を支持する平面のことをいう。
【００６４】
図３に示されるように、支持部材１９２には、一対のサイドガイド１９４が設けられている。一対のサイドガイド１９４は、左右方向９に離間されて設けられており、支持面１９３より上方へ突出されている。サイドガイド１９４は、バイパストレイ７１の搬送向きに沿って延出されたガイド面１９５を有している。支持面１９３上の記録用紙が搬送されるとき、記録用紙における搬送向きに沿った端縁は、ガイド面１９５によって案内される。
【００６５】
サイドガイド１９４は、支持部材１９２の支持面１９３に沿った支持面１９６を有する。つまり、サイドガイド１９４は、ガイド面１９５と支持面１９６とが直交するＬ字形状をなしている。支持面１９６は、支持面１９３とは僅かに段差があるものの、実質的に同一の平面をなしており、支持面１８８，１９３とともに記録用紙を支持する。一対のサイドガイド１９４が左右方向９に沿って離間する距離は可変である。これにより、支持面１９３，１９６に支持された様々なサイズの記録用紙の端縁をサイドガイド１９４のガイド面１９５によって案内することができる。
【００６６】
図６に示されるように、バイパストレイ７１の面４５（支持部材１８９の支持面１８８）に、２つの凹部４６が設けられている。後述する押さえアーム７３の他端５０が凹部４６に挿入される。２つの凹部４６は、給送向き８７において同位置に設けられている。また、２つの凹部４６は、左右方向９において、一対の給送ローラ７５の右側及び左側に設けられている。つまり、２つの凹部４６は、一対の給送ローラ７５を挟むように設けられている。
【００６７】
図８に示されるように、各凹部４６は、第１傾斜面４７と第２傾斜面４８とを備えている。第１傾斜面４７は、各凹部４６の給送向き８７上流側を構成している。第１傾斜面４７は、給送向き８７下流側に向かうに従って支持面１８８から離間するように傾斜している。第１傾斜面４７の傾斜角度は、後述する押さえアーム７３が第１位置のときの傾斜角度と略同一である。
【００６８】
第２傾斜面４８は、各凹部４６の給送向き８７下流側を構成している。第２傾斜面４８は、第１傾斜面４７の給送向き８７下流端と連続しており、給送向き８７下流側へ向かうに従って支持面１８８に近づくように傾斜している。
【００６９】
図７及び図９に示されるように、各凹部４６には、給送向き８７（前後方向８に沿っている。）に沿って延出されており、各凹部４６の第１傾斜面４７（底面の一例）から支持面１８８へ向かって突出する突片９０がそれぞれ設けられている。各突片９０は、左右方向９に沿った幅が狭い薄板形状であり、各凹部４６において左右方向９の中央に配置されている。
【００７０】
突片９０の上端面９１，９２（先端面の一例）のうち、給送向き８７の上流側に位置する上端面９１は、支持面１８８より第１傾斜面４７側に位置している。すなわち、支持面１８８より上方へは突出していない。上端面９１は、支持面１８８と平行である。給送向き８７の下流側に位置する上端面９２は、上端面９１と連続しており、かつ第２傾斜面４８へ向かって下降するように傾斜している。すなわち、上端面９２は、上端面９１より支持面１８８から遠ざかっている。
【００７１】
［給送ローラ７５及び給送アーム７６］
図７，８に示されるように、給送ローラ７５は、バイパストレイ７１の前方に配置されている。給送ローラ７５は、支持部材１８９の支持面１８８に当接可能である。給送ローラ７５の回転軸８３は左右方向９に延びている。なお、給送ローラ７５は、左右方向９に間隔を空けて２個設けられているが、給送ローラ７５の個数は、２個に限らない。
【００７２】
給送アーム７６は、一方の端部から給送向き８７上流側に向かい且つバイパストレイ７１の面４５から離間した向きに延びている。給送ローラ７５は、給送アーム７６の一方の端部において回転可能に支持されている。回動軸６６が、給送アーム７６の給送向き８７上流端部、つまり給送アーム７６の他方の端部に設けられた孔に挿通されている。これにより、給送アーム７６は、回動軸６６を中心に回動する。その結果、給送ローラ７５は、支持部材１８９の支持面１８８または当該支持面１８８に支持された記録用紙に対して、当接及び離間、すなわち接離が可能である。なお、回動軸６６は、上述したように、補強部材１８３に回転可能に支持されている。
【００７３】
本実施形態において、給送アーム７６は、接離機構から駆動力を付与されることで回動可能である。ここで、接離機構の構成は、給送アーム７６を回動軸６６周りに回動させることが可能であるならば、公知の如何なる構成でもよい。バイパストレイ７１に支持された記録用紙の給送を実行するとき、接離機構は、給送アーム７６を、給送ローラ７５が面４５に支持された記録用紙に当接するように矢印６７の向きに回動させる。一方、バイパストレイ７１に支持された記録用紙の給送を実行しないとき、接離機構は、給送アーム７６を、給送ローラ７５が支持部材１８９の支持面１８８から離間するように矢印６８の向きに回動させる。なお、図７，８において、給送ローラ７５は、接離機構によって支持面１８８から離間されている。
【００７４】
［押さえアーム７３］
図７，８に示されるように、押さえアーム（アームの一例）７３は、給送アーム７６と同様に、一端４９から給送向き８７下流側に向かい且つ支持部材１８９の支持面１８８に近づく向きに延びている。つまり、押さえアーム７３の一端４９は、他端５０よりも給送向き８７上流側且つ面４５から離間している。回動軸６６が、押さえアーム７３の給送向き８７上流端側、つまり一端４９側に設けられた孔５１に挿通されている。これにより、押さえアーム７３は、給送アーム７６と同様に、回動軸６６を中心に回動する。つまり、押さえアーム７３は、一端４９側を回動軸とし且つ他端５０側を先端側として回動可能である。その結果、押さえアーム７３の先端側は、支持面１８８または当該支持面１８８に支持された記録用紙に対して、当接及び離間、すなわち接離が可能である。
【００７５】
上述したように、回動軸６６は、給送アーム７６及び押さえアーム７３の双方に挿通されている。そのため、給送アーム７６と押さえアーム７３の回動軸線は同一である。また、給送アーム７６及び押さえアーム７３は互いに独立して回動可能である。
【００７６】
押さえアーム７３の他端５０は、図８に示されるように、左側または右側（紙面に対して鉛直方向）から見て給送向き８７下流側に向かって凸となるように湾曲している。
【００７７】
押さえアーム７３は、支持部材１８９の支持面１８８に設けられた凹部４６と同数設けられている。つまり、本実施形態において、押さえアーム７３は、給送ローラ７５の右方及び左方に１つずつ設けられている。２つの押さえアーム７３の各々は、２つの凹部４６の各々と対応している。
【００７８】
左右方向９における、押さえアーム７３の他端５０側の幅は、対応する凹部４６の幅よりも狭い。これにより、押さえアーム７３の他端５０は、凹部４６に進入可能である。図９に示されるように、押さえアーム７３の他端５０側には、凹部４６に設けられた突片９０が進入可能な溝９３が設けられている。溝９３は、押さえアーム７３の他端５０側の下面５０Ａの左右方向９の中央において、上方へ凹んでおり、かつ給送向き８７に沿って延びている。溝９３の深さは、突片９０が第１傾斜面４７から突出する高さよりも深い。したがって、突片９０が溝９３に進入した状態において、押さえアーム７３の他端５０側の下面５０Ａは、凹部４６の第１傾斜面４７と当接する。このときの押さえアーム７３の位置が第１位置に相当する。
【００７９】
一方、押さえアーム７３が第１位置から矢印６８の向きに回動することによって、押さえアーム７３の他端５０は、凹部４６から退避可能である。ユーザがバイパストレイ７１に記録用紙を給送向き８７に沿って挿入すると、押さえアーム７３の他端５０は、凹部４６から退避するとともに、記録用紙と当接する。このときの押さえアーム７３の位置が第２位置に相当する。
【００８０】
図７，８に示されるように、押さえアーム７３が第１位置のとき、押さえアーム７３の給送向き８７上流側の面のうち、凹部４６に進入していない部分である面５３（案内面の一例）は、給送ローラ７５よりも給送向き８７上流側に位置する。押さえアーム７３が第２位置のとき、押さえアーム７３の他端５０は、給送ローラ７５よりも給送向き８７下流側に位置する。
【００８１】
押さえアーム７３と回動軸６６とは、トーションばね（付勢部材の一例）５２によって連結されている。これにより、押さえアーム７３は、トーションばね５２によって第１位置側へ付勢される。なお、押さえアーム７３を付勢する構成は、トーションばね５２による構成に限らない。例えば、押さえアーム７３の前方に、一端を押さえアーム７３に接続され且つ他端をプリンタ部１１のフレームに接続されたコイルばねが配置されていてもよい。
【００８２】
［シートセンサ５４］
図１０に示されるように、バイパストレイ７１の左方に、シートセンサ５４が設けられている。シートセンサ５４は、左側の押さえアーム７３から左方に延びた延設部５５と、延設部５５の左端部から押さえアーム７３と同方向に突出した検出子５６と、発光素子５７及び当該発光素子５７から発光された光を受光する受光素子５８を有する光学センサ（検知部）３５とを備えている。
【００８３】
検出子５６は、左側の押さえアーム７３が回動すると、左側の押さえアーム７３と一体に延設部５５を中心に回動する。
【００８４】
押さえアーム７３が第１位置のとき、すなわち、押さえアーム７３の他端５０が凹部４６内に進入しているとき、検出子５６の突出先端は、光学センサ３５の発光素子５７と受光素子５８との間における発光素子５７から受光素子５８に至る光路に進入している。これにより、当該光路を通る光が遮断されている。このとき、光学センサ３５から複合機１０の動作を制御する制御部（不図示）に、ローレベルの信号が出力される。一方、押さえアーム７３が第２位置のとき、すなわち、押さえアーム７３の他端５０が凹部４６から退避しているとき、検出子５６の突出先端は上記光路、すなわち発光素子５７から受光素子５８に至る光路から退避する。これにより、上記光路に光が通る。このとき、光学センサ３５から上記制御部に、ハイレベルの信号が出力される。以上のように、シートセンサ５４は、上記光路における検出子５６の有無を検出することによって押さえアーム７３の位置（第１位置にあるか第２位置にあるか）を制御部に検出させることができる。この押さえアーム７３の位置を制御部に検出させるということは、すなわち、バイパストレイ７１の面４５上に記録用紙が有るか無いかを制御部に検出させることである。上述の例の場合、光学センサ３５から複合機１０の制御部にローレベルの信号が出力されていれば、バイパストレイ７１の面４５上に記録用紙が無いことになる。また、光学センサ３５から複合機１０の制御部にハイレベルの信号が出力されていれば、バイパストレイ７１の面４５上に記録用紙が有ることになる。
【００８５】
なお、検出子５６の突出方向は、押さえアーム７３と異なる方向であってもよい。そして、検出子５６の突出先端は、上記とは逆に、押さえアーム７３が第２位置のときに上記光路に進入し、押さえアーム７３が第１位置のときに上記光路から退避してもよい。
【００８６】
また、シートセンサ５４は、右側の押さえアーム７３の右方に設けられていてもよい。このとき、延設部５５は、右側の押さえアーム７３から右方に延設される。
【００８７】
［バイパストレイ７１への記録用紙の装填］
バイパストレイ７１が使用されるときには、可動支持部１８６が倒伏状態にされる。この状態のバイパストレイ７１に記録用紙が装填されていない状態では、押さえアーム７３は、他端５０側が、支持部材１８９の凹部４６に進入し、押さえアーム７３の溝９３に突片９０が進入する。この状態において、押さえアーム７３の他端５０側の下面５０Ａが、凹部４６の第１傾斜面４７と当接する（第１位置）。
【００８８】
押さえアーム７３の他端５０が凹部４６内に進入しているとき、検出子５６の突出先端は、光学センサ３５の発光素子５７と受光素子５８との間の光路を遮断する。そして、光学センサ３５からローレベルの信号が出力される。この光学センサ３５が出力する信号（ローレベル）に基づいて、複合機１の制御部がバイパストレイ７１に記録用紙が無いと判断する。
【００８９】
バイパストレイ７１には、給送向き８７に沿って記録用紙が挿入される。ユーザがバイパストレイ７１に記録用紙を挿入することは言うまでもない。以下、１枚の記録用紙１００がバイパストレイ７１に装填される動作が一例として説明される。可動支持部１８６から固定支持部１８５へ向かって挿入された記録用紙１００は、可動支持部１８６の支持面１９６に沿って給送向き８７へ進行した後、固定支持部１８５の支持面１８８に沿って給送向き８７へ進行する。バイパストレイ７１から記録用紙の給送が実行されていない状態では、上述した接離機構が、給送アーム７６を、給送ローラ７５が支持部材１８９の支持面１８８から離間するように回動させ、給送ローラ７５が支持面１８８から離間されている。したがって、記録用紙１００は、給送ローラ７５と支持面１８８との間の空間に容易に進入することができる。更に、記録用紙１００は、給送ローラ７５より給送向き８７の下流側へ進行する。
【００９０】
また、押さえアーム７３が第１位置のとき、押さえアーム７３の面５３が給送ローラ７５よりも給送向き８７上流側に位置するので、記録用紙１００の先端は、面５３により給送ローラ７５と支持面１８８との間に案内される。
【００９１】
図１１に示されるように、支持面１８８に沿って給送向き８７へ進行する記録用紙１００の先端が凹部４６へ到達すると、記録用紙１００は、第１位置の押さえアーム７３の下面５０Ａの下方へ潜り込む。記録用紙１００の腰によって、記録用紙１００が凹部４６を塞ぐように押さえアーム７３の下面５０Ａの下方へ潜り込むと共に、押さえアーム７３を第１位置から第２位置へ向かって上方へ押し上げようとする。一方、押さえアーム７３においては、上述した通り、トーションばね５２の付勢力によって、他端５０が凹部４６内に向かって付勢されている。このため、押さえアーム７３は、記録用紙１００を凹部４６内へ追い込もうとする。しかしながら、凹部４６に設けられた突片９０の上端面９１と支持部材１８９の支持面１８８とに記録用紙１００が支持されることによって、記録用紙１００は、突片９０の上端面９１より第１傾斜面４７側へ進入しない。これにより、比較的剛性が低い（腰の弱い）１枚の記録用紙１００がバイパストレイ７１に装填された場合であっても、押さえアーム７３が第２位置に移動されて第２位置に維持される。また、記録用紙１００の先端が凹部４６を通過するときに、突片９０の上端面９１に支持されることによって、記録用紙１００の先端が凹部４６内へ深く進入しないので、凹部４６の給送向き８７の下流側の縁に記録用紙１００の先端が当接して、折れ曲がったり破損したりすることが抑制される。
【００９２】
押さえアーム７３が第２位置のとき、すなわち、押さえアーム７３の他端５０が凹部４６から退避しているとき、検出子５６の突出先端は光学センサ３５の発光素子５７と受光素子５８との間の光路から退避する。これにより、光学センサ３５の発光素子５７と受光素子５８との間の光路に光が通る。このとき、光学センサ３５から制御部に、ハイレベルの信号が出力される。この光学センサ３５が出力する信号（ハイレベル）に基づいて、複合機１の制御部がバイパストレイ７１に記録用紙が有ると判断する。
【００９３】
［本実施形態の作用効果］
本実施形態によれば、バイパストレイ７１の支持面１８８に沿って挿入される記録用紙１００の先端は、凹部４６において突片９０の上端面９１に支持されるので、記録用紙１００の先端が凹部４６の第１傾斜面４７にまで進入することが防止される。これにより、記録用紙１００が折れ曲がったりすることがないので、ユーザは記録用紙１００をバイパストレイ７１に容易に挿入できる。
【００９４】
また、押さえアーム７３の他端５０の下面５０Ａに溝９３が設けられているので、押さえアーム７３の他端５０の下面５０Ａが突片９０より下方の第１傾斜面４７に当接するまで凹部４６へ進入する。これにより、第１位置と第２位置との押さえアーム７３の回動位相差が大きくなるので、押さえアーム７３と連動して回動する検出子５６が光学センサ３５に対して回動する範囲も大きくなり、光学センサ３５による検出子５６の検知が安定する。
【００９５】
また、押さえアーム７３がトーションばね５２によって第１位置側へ付勢されているので、バイパストレイ７１の支持面１８８に支持された記録用紙（の束）は、第１位置側へ付勢された押さえアーム７３によって給送ローラ２５と分離部材７２との間で支持面１８８に押さえつけられる。換言すれば、押さえアーム７３は、給送ローラ２５と分離部材７２との間で記録用紙を支持面１８８に押さえつける。これにより、複数枚の記録用紙が給送ローラ２５と分離部材７２との間で分離する（積層方向において離れる）ことが抑制され、結果として記録用紙の重送が発生する可能性を低くできる。
【００９６】
また、前述されたように突片９０によって記録用紙１００が支持されるので、凹部４６の左右方向９に沿った寸法を拡大できる。つまり、記録用紙１００の剛性が同じであれば、突片９０が無い構成において記録用紙１００が凹部４６へ進入しない程度の凹部４６の左右方向９に沿った寸法と比較して、約２倍の寸法としても突片９０に記録用紙１００が支持されることにより、記録用紙１００が凹部４６へ進入しない。凹部４６の寸法に合わせて、押さえアーム７３の他端５０の下面５０Ａの左右方向９に沿った寸法も長くできるので、下面５０Ａと記録用紙（の束の最上位置の記録用紙）との接触面積が大きくなり、トーションばね５２による付勢力を大きくしても、下面５０Ａにおいて記録用紙（の束）へ負荷される単位面積当たりの荷重が小さくなる。したがって、記録用紙（の束）が変形することが低減される。よって、押さえアーム７３によって記録用紙（の束）を支持面１８８に確実に押さえつけることができる。
【００９７】
また、バイパストレイ７１に給送アーム７６に回転可能に支持された給送ローラ７５が設けられているので、バイパストレイ７１の支持面１８８に支持された記録用紙の束の厚みに応じて給送アーム７６が回動し、給送ローラ７５が記録用紙の束のうち最上位置の記録用紙と当接する。
【００９８】
また、バイパストレイ７１の支持面１８８に沿って記録用紙１００が挿入されると、記録用紙１００の先端が先ず第１位置の押さえアーム７３の面５３に当接して、給送ローラ７５と支持面１８８との間に導かれる。
【００９９】
また、第２位置の押さえアーム７３の下面５０Ａにより、バイパストレイ７１の支持面１８８に支持された記録用紙（の束）が給送ローラ７５よりも給送向き８７下流側で支持面１８８側へ押さえられるので、記録用紙（の束）が給送ローラ７５のみによって支持面１８８側へ押さえられている状態よりも、記録用紙の重送が生ずる可能性が低くなる。
【０１００】
また、一対の押さえアーム７３が左右方向９において給送ローラ７５を挟んで配置されているので、給送ローラ７５の両側において記録用紙１００が押さえアーム７３によって支持面１８８側へ押さえられる。これにより、記録用紙１００が斜行する可能性が低い。
【０１０１】
また、押さえアーム７３と給送アーム７６の回動軸６６が同一なので、複合機１０の構成が簡略化される。
【０１０２】
［変形例］
前述された実施形態では、突片９０の上端面９１が支持面１８８より上方へ突出していないが、上端面９１は、支持面１８８まで突出されてもよい。具体的には、図１２に示されるように、突片９０の上端面９１が、支持面１８８と同一の仮想平面６（左右方向９及び給送向き８７に沿った平面）に位置されていてもよい。このような突片９０の上端面９１に支持されることにより、バイパストレイ７１の支持面１８８に沿って挿入される記録用紙１００の先端が凹部４６に進入することがない。この場合にも、図９に示されるように、押さえアーム７３の他端５０が溝９３を備えており、この溝９３内に突片９０が進入するように構成されればよい。
【０１０３】
なお、前述された実施形態では、各凹部４６に１つの突片９０が設けられているが、突片９０は各凹部４６において２つ以上が設けられていてもよい。そのような複数の突片９０に対応して、押さえアーム７３の他端５０における溝９３も複数設けられる。また、突片９０は、必ずしも凹部４６の左右方向９の中央に配置される必要はない。
【０１０４】
また、前述された実施形態において、給送装置７０は、バイパストレイ７１に支持された記録用紙を給送する装置であったが、給送装置７０は、給送トレイ２０に支持された記録用紙を給送するための装置であってもよい。
【０１０５】
また、前述された実施形態において、給送装置７０は、プリンタ部１１に設けられていたが、給送装置７０を備える装置はプリンタ部１１に限らない。例えば、給送装置７０は、スキャナ部１２に設けられていてもよい。この場合、給送装置７０は、スキャナ部１２によって画像を読み取られる用紙をスキャナ部１２内部へ給送するものである。
【符号の説明】
【０１０６】
１０  複合機（画像記録装置）
２４  記録部
３５  光学センサ（検知部）
４６  凹部
４７  第１傾斜面（底面）
４９  一端（第１端）
５０  他端（第２端）
５２  トーションばね（付勢部材）
５３  面（案内面）
６６  回動軸
７０  給送装置
７３  押さえアーム
７５  給送ローラ（給送部）
７６  給送アーム（給送部）
９０  突片
９１  上端面（先端面）
９３  溝
１８５  固定支持部（支持部）
【図１】
2015227218.tif 000003
【図２】
2015227218.tif 000004
【図３】
2015227218.tif 000005
【図４】
2015227218.tif 000006
【図５】
2015227218.tif 000007
【図６】
2015227218.tif 000008
【図７】
2015227218.tif 000009
【図８】
2015227218.tif 000010
【図９】
2015227218.tif 000011
【図１０】
2015227218.tif 000012
【図１１】
2015227218.tif 000013
【図１２】
2015227218.tif 000014